【手続補正書】
【提出日】平成23年7月21日(2011.7.21)
【手続補正１】
【補正対象書類名】特許請求の範囲
【補正対象項目名】全文
【補正方法】変更
【補正の内容】
【特許請求の範囲】
【請求項１】
コンピュータに実装される方法において、
異なる情報源から評価を特定および／または検索するステップであって、当該評価が少なくとも１つの実体に関連するデータを含み、前記異なる情報源がワイドエリアネットワーク、ローカルエリアネットワーク、インターネット、ＷｏｒｌｄＷｉｄｅＷｅｂ（ＷＷＷ）上の少なくとも１つで、またはシステムもしくは電話システムネットワーク上で特定および／または検索される情報源であり、前記評価が前記少なくとも１つの実体に関連する価値の実体、知的出力、知的入力、教育もしくはパフォーマンスの少なくとも１つに関するか、または前記評価が前記少なくとも１つの実体の知的出力もしくは知的入力であるステップと、
前記少なくとも１つの実体に関連する評価を蓄積して前記少なくとも１つの実体に関連する認定を生成するステップであって、前記認定が前記評価を含み、当該評価が少なくとも１つの実体に関連するデータを含む、ステップとを具えることを特徴とする方法。
【請求項２】
請求項１に記載の方法がさらに、評価を用いて異なる実体をマッチングするステップであって、前記異なる実体は前記少なくとも１の受領者および１の提供者の要求に応じておよび／または自動的にマッチングされ、入札もしくは申し込みの何れかの場合には用語、制限、あるいはパラメータが設定され、当該用語、制限、あるいはパラメータが認定および価格の少なくとも１つを含むことを特徴とする方法。
【請求項３】
請求項１または２に記載の方法がさらに、前記認定に関連する情報を広めるステップを含み、
選択的に何れかの種類の通信媒体を用いることにより前記認定を他の実体に利用可能にさせ、前記通信媒体が選択的に少なくとも１つのマークもしくは記章を含み、
および／または、
命令と、ポインタと、リンクもしくはハイパーリンクなどのリードとのうち少なくとも１つを用いることにより前記認定が存在すること、もしくは利用可能であることを知らせ、
および／または、
ワイドエリアネットワークもしくはインターネット上の申し込み、入札、購入、あるいは販売プロセス中に前記認定を利用可能にさせることを特徴とする方法。
【請求項４】
請求項１乃至３の何れか１項に記載の方法が、
さらに、分析および／または通信が可能なソフトウェアおよび／またはハードウェアを含むマシン、スマートマシン、システムもしくは装置の１以上を用いて評価を特定および／または検索するステップを含み、１台もしくは複数台のコンピュータあるいは他のデータ処理システム、またはロボットなどの知的システムを含み、
選択的に、関係者もしくは価値の実体に関する何れかのデータに付随する識別子を用いることにより、自動的および／または手動介入でデータが取り込まれ、これによりデータが送信されてデータが取り込まれるか、および／または前記識別子がクッキーであるか、および／または前記識別子が関係者のコンピュータに含まれており、
ならびに／あるいは、
さらに、実体に関する何れかのデータに付随する社会保険番号もしくは指紋データなどの実体に特有の識別子を用いることによって実体に特有の評価を特定および／または追跡するステップを含むことを特徴とする方法。
【請求項５】
請求項１乃至４の何れか１項に記載の方法が、
さらに、関係者のデータが発生するウェブサイトの定期購読もしくは登録など、関係者および／またはシステムの登録もしくは定期購読によって評価を特定および／または検索するステップと、
選択的に、登録システムを提供し、これにより少なくとも２つのウェブサイトが実体に関する評価および情報の少なくとも１つに寄与するステップとを含み、
ならびに／あるいは、
さらに、装置、システムもしくはデータは前記評価が発生もしくは生成される情報源に存在するか、あるいは前記評価が発生もしくは生成されている情報源と相互作用し、評価を特定、および／または検索、および／または再検索するステップを含み、
選択的に、実体のコンピュータもしくはデータベースあるいはデータ記憶媒体と、ウェブサイトもしくはデータが送信される場所との間など、１以上のシステムあるいはデータを転送、記憶、生成もしくは発生する場所の間で、前記情報源あるいは前記装置、システムもしくはデータが分散され、および／または選択的に、前記装置、システムもしくはデータが前記識別子のデータを含み、
選択的に、受領者もしくは提供者の何れかによって要求が作成される前に前記識別子が発生することを特徴とする方法。
【請求項６】
請求項１乃至５の何れか１項に記載の方法において、装置、システムもしくはデータは前記評価が発生もしくは生成される情報源に存在し、あるいは前記評価が発生もしくは生成されている情報源とやり取りし、前記評価が発生もしくは生成される前あるいは発生もしくは生成されるときに存在することを特徴とする方法。
【請求項７】
請求項１乃至６の何れか１項に記載の方法がさらに、ワイドエリアネットワーク、ローカルエリアネットワーク、インターネット上の少なくとも１つで、もしくはシステム上で評価を検索および／または特定するウェブクローラあるいはソフトウェアアプリケーションを含み、
ならびに／あるいは、
アクセスを促進する方法を達成することによって前記評価を検索し、選択的に前記アクセスを促進する方法が前記評価の検索およびアクセス方法を示すアドレス、位置、情報およびデータの少なくとも１つを含み、選択的に前記情報およびデータの少なくとも１つが前記評価を検索もしくは発掘する場所を示しており、選択的に本請求項の方法が前記装置、システムもしくはデータの方法を使用することによって実行され、
ならびに／あるいは、
受領者もしくは提供者の何れかによって前記要求が作成される前に前記方法が発生するか、あるいは自動マッチングが開始されるか、または何れかの実体について認定がさらに収集、分類、利用、もしくは処理されることを特徴とする方法。
【請求項８】
請求項１乃至７の何れか１項に記載の方法がさらに、前記生成された認定を用いて対応する少なくとも１つの実体に対して教育もしくは知的入力あるいは相互連携を提案するステップを含み、
選択的に、前記提案される教育もしくは知的入力が実体の以前の経歴に基づいて前記実体の認定から決定され、前記実体の以前の経歴が以前のパフォーマンス、知的出力、教育、および価値の実体の知識の少なくとも１つを含み、
選択的に、前記提案される教育もしくは知的入力が以前の経歴に基づいて１以上の他の実体の認定もしくは前記他の実体の認定から決定され、前記他の実体の以前の経歴が以前のパフォーマンス、知的出力、教育、および価値の実体の知識の少なくとも１つを含み、
選択的に、前記提案される教育もしくは知的入力が需要あるいは報酬の程度を示すデータに基づいて所定の種類の情報もしくは知的入力に対して申し込まれもしくは交換され、
選択的に、前記提案される教育もしくは知的入力が前記３つの選択肢の何れかの組み合わせに基づくことを特徴とする方法。
【請求項９】
請求項１乃至８の何れか１項に記載の方法がさらに、前記認定を使用して実体を相互連携するステップを含み、
選択的に、
前記実体が少なくとも１の提供者および受領者を含み、前記相互連携が提供者と提供者、受領者と受領者、提供者と受領者、および受領者と提供者の少なくとも１つの組み合わせであり、
前記相互連携が協力、同一のもしくは補足的な努力の少なくとも１つを含むことを特徴とする方法。
【請求項１０】
請求項１乃至９の何れか１項に記載の方法において、
スマートソフトウェア、クッキー、アプレット、および実体を追跡するソフトウェアの少なくとも１つによって実体に対する前記評価を特定および／または検索および／または再検索し、ならびに／あるいは、
さらに、前記少なくとも１つの実体に関連する異なる情報源の評価を含むウェブページを提供するステップを含み、および／または、
１以上のウェブサイトからユーザの評価を特定するステップと、前記評価を蓄積して認定を生成するステップを含み、
選択的に、前記評価の何れかの評価を実行、提供、生成、および／または取得するステップを含み、
ならびに／あるいは、評価される実体、価値の実体、またはパフォーマンスの受領者以外の関係者を用いて前記評価が行われ、
ならびに／あるいは、評価に対する補償もしくは報酬が関係者に申し込まれもしくは与えられることを特徴とする方法。
【請求項１１】
請求項１乃至１０の何れか１項に記載の方法において、何れかのウェブサイトもしくはシステムからあるいは当該ウェブサイトもしくはシステムによって全体的もしくは部分的に評価に関連するあるいは当該評価を含むデータが取り込まれ、当該データが１以上のサーバ、１以上のデータベース、１以上のワークステーション、１以上のデータ解析システム、１以上の教育決定システム、１以上のデータ取り込みシステム、１以上のデータフィルタシステム、１以上の相互連携システム、ならびに／あるいは分類、評価および／または認定システムを含むシステムを利用して処理され、
ならびに／あるいは、関係者もしくは価値の実体に関する何れかのデータに付随する識別子を用いることにより、自動的および／もしくは手動介入でデータが取り込まれ、これにより前記方法の何れかを利用および実行する専用システムにデータが送信され、
および／または前記識別子がクッキーであるか、および／または前記識別子が関係者のコンピュータに含まれていることを特徴とする方法。